(57)【要約】【課題】  所望の動作モードを呼び出し、複数の設定項目に設定値を一度に設定した後、一部の設定値を変更する場合において、設定項目に対応するＵＩ画面を呼び出すこと無しに、より簡単に設定値を変更できるようにする。【解決手段】  記憶された動作モードを呼び出す手段と、各設定項目に対して呼び出した動作モードの設定値を取得する手段と、設定項目に対する設定値の他の候補を取得する手段と、設定値と設定値の他の候補を合わせて出力する手段とを備える。【選択図】  図２
2009206606.tif 000002
【特許請求の範囲】
【請求項１】
設定項目を複数有する情報処理装置において、
複数の設定項目とその設定値の組を動作モードとして記憶する手段と、
記憶された動作モードを呼び出す手段と、
各設定項目に対して呼び出した動作モードの設定値を取得する手段と、
設定項目に対する設定値の他の候補を取得する手段と、
設定値と設定値の他の候補を合わせて出力する手段と、
を有することを特徴とする情報処理装置。
【請求項２】
設定項目を複数有する情報処理装置において、
各設定項目に対して現在設定されている設定値を取得する手段と、
設定項目に対する設定値の他の候補を取得する手段と、
設定値を入力するための音声コマンドを取得する手段と、
設定値と設定値の他の候補を入力するための音声コマンドを合わせて出力する手段と
を有することを特徴とする情報処理装置。
【発明の詳細な説明】
【技術分野】
【０００１】
本発明は動作モードや音声コマンドを利用可能な情報処理装置に関する。
【背景技術】
【０００２】
複写機やファックスなど設定項目を複数有する情報処理装置では、各設定項目毎に対応するＵＩ画面を用意している。例えば、宛先を設定するためのＵＩ画面を図６に、原稿を読み込むときの圧縮率を設定するためのＵＩ画面を図７に示す。
【０００３】
これらの情報処理装置を動作させるためには、設定項目毎に対応するＵＩ画面を呼び出し、適切な設定値を設定する必要がある。
【０００４】
特開平８−８７２０９では、複数の設定項目とその設定値の組を動作モードとして記憶しておき、所望の動作モードを呼び出すことで複数の設定項目に設定値を一度に設定する装置が開示されている。
【０００５】
特開平１１−２０５４９１、特開２０００−２３１３９８では、所望の動作を実現するための音声コマンドを出力する装置が開示されている。この音声コマンドを入力することで、ＵＩ画面を呼び出さずに設定項目に設定値を設定することが可能となる。
【特許文献１】特開平８−８７２０９号公報
【特許文献２】特開平１１−２０５４９１号公報
【特許文献３】特開２０００-２３１３９８号公報
【発明の開示】
【発明が解決しようとする課題】
【０００６】
呼び出した動作モードに対して、一部の設定値を変更したい場合、変更する設定項目に対応するＵＩ画面を呼び出す必要がある。本発明が解決しようとする課題は、そのような場合でも、設定項目に対応するＵＩ画面を呼び出すこと無しに、より簡単に設定値を変更できる装置を提供することである。
【課題を解決するための手段】
【０００７】
上記課題を解決するために、本発明の情報処理装置は、複数の設定項目とその設定値の組を動作モードとして記憶する手段と、記憶された動作モードを呼び出す手段と、各設定項目に対して呼び出した動作モードの設定値を取得する手段と、設定項目に対する設定値の他の候補を取得する手段と、設定値と設定値の他の候補を合わせて出力する手段とを備える。
【発明の効果】
【０００８】
本発明によれば、動作モードを呼び出すことで設定した設定値を簡単に変更することができる。
【発明を実施するための最良の形態】
【０００９】
以下、図面を参照しながら本発明の好適な実施例について説明していく。
【実施例１】
【００１０】
図１は、本発明の一実施例にかかる情報処理装置の構成を説明するブロック図である。
【００１１】
１０１は、複数の設定項目とその設定値の組を動作モードとして記憶する動作モード記憶手段である。
【００１２】
１０２は、記憶された複数の動作モードの中から所望の動作モードを呼び出す動作モード呼び出し手段である。
【００１３】
１０３は、呼び出した動作モードに対し、設定項目に対する設定値を取得する設定値取得手段である。
【００１４】
１０４は、設定項目に対する設定値の他の候補を取得する他候補取得手段である。
【００１５】
１０５は、設定値と設定値の他の候補を合わせて出力する出力手段である。
【００１６】
１０６は、設定項目と設定可能な設定値の対応を管理する設定値候補テーブルである。
【００１７】
図２は、本発明の一実施例にかかる情報処理装置の処理手順を説明するための図である。
【００１８】
Ｓ２０１で、ユーザは所望の動作モードを呼び出す。例として図３の動作モードを呼び出したとする。
【００１９】
Ｓ２０２で、動作モードで設定されている設定項目（図３の例では「送信手段」「宛先」「圧縮率」の３つ）の中から未処理の設定項目を１つ取り出す。取り出せた場合はＳ２０３へ進み、取り出せなかった場合、つまり、すべての設定項目に対してＳ２０３以下の処理を行なった場合はＳ２０７へ進む。ここでは設定項目「圧縮率」を取り出した場合について説明を続ける。
【００２０】
Ｓ２０３で、Ｓ２０２で取り出した設定項目に設定されている設定値を取得する。例えば図３の動作モードの場合、設定項目「圧縮率」に対して設定値「高圧縮」を取り出す。
【００２１】
Ｓ２０４で、Ｓ２０３で取り出した設定値を装置に設定する。
【００２２】
Ｓ２０５で、Ｓ２０２で取り出した設定項目に対し、動作モードで設定されている設定値の他の候補を取り出す。各設定項目に設定可能な設定値の候補は設定値候補テーブル１０６に保持されている。設定値候補テーブルの例を図４に示す。図４の設定値候補テーブルより、設定項目「圧縮率」に設定可能な設定値は「高圧縮」「普通」「低圧縮」である。よって、図３の動作モードでは、設定項目「圧縮率」に対する設定値の他の候補は「普通」「低圧縮」となる。
【００２３】
Ｓ２０６で、Ｓ２０２、Ｓ２０３、Ｓ２０４で取り出した設定項目、設定値、設定値の他の候補を出力する。図３の動作モードに関し、すべての設定項目について処理が終わった場合の出力の例を図５に示す。図５では、設定項目、設定値、設定値の他の候補を選択可能なＵＩ部品として画面に出力する。ＵＩ部品の選択はタッチパネルやマウスなどで実現できる。図中「電子メール」「Ａさん」「高圧縮」のＵＩ部品は、動作モードで設定されている設定値であり、「ファックス」「普通」「低圧縮」のＵＩ部品はそれぞれ対応する設定項目の設定値の他の候補である。また「ＯＫ」「終了」など他の操作に必要なＵＩ部品も出力する。これらのＵＩ部品が集まって、Ｓ２０１でユーザが呼び出した動作モードに固有のＵＩとして機能する。
【００２４】
Ｓ２０７で、Ｓ２０１〜Ｓ２０６で出力された動作モードに固有のＵＩを用いて、装置を操作する。
【００２５】
Ｓ２０８で、ユーザーが設定項目のＵＩ部品（図５の例では「送信手段」「宛先」「圧縮率」のいづれか）を選択したか否かを判定する。設定項目のＵＩ部品を選択した場合はＳ２１２へ進み、そうでない場合はＳ２０９へ進む。
【００２６】
Ｓ２０９で、ユーザが設定値のＵＩ部品（図５の例では「電子メール」「ファックス」「Ａさん」「高圧縮」「普通」「低圧縮」のいずれか）を選択したか否かを判定する。設定値のＵＩ部品を選択した場合はＳ２１３へ進み、そうでない場合はＳ２１０へ進む。
【００２７】
Ｓ２１０で、ユーザが「ＯＫ」を選択したか否かを判定する。「ＯＫ」を選択した場合はＳ２１４へ進み、そうでない場合はＳ２１１へ進む。
【００２８】
Ｓ２１１で、ユーザが「終了」を選択したか否かを判定する。「終了」を選択した場合は処理を終了し、そうでない場合はＳ２０７へ戻る。
【００２９】
Ｓ２１２で、選択された設定項目に対応するＵＩを呼び出し、そのＵＩを用いて設定値を設定する。例えば、「宛先」を選択した場合は、宛先を設定するための通常のＵＩ（図５に例を示す）を呼び出し、「圧縮率」を選択した場合は、圧縮率を設定するための通常のＵＩ（図６に例を示す）ＵＩを呼び出す。
【００３０】
Ｓ２１３で、選択された設定値を装置に設定する。
【００３１】
Ｓ２１４で、現在設定されている設定値に基づいて装置を動作させる。例えば、図５の例では、原稿を読み込み、読み込んだ原稿を圧縮率「高圧縮」で圧縮し、「電子メール」で、「Ａさん」に送信する。
【００３２】
Ｓ２１５で、動作モードに固有のＵＩを呼び出す。
【実施例２】
【００３３】
図８は、本発明の一実施例にかかる情報処理装置の処理手順を説明するための図である。この処理はユーザが音声コマンド出力の指示を出したときに開始される。
【００３４】
Ｓ８０１で、装置に設定されている設定項目の中から未処理の設定項目を1つ取り出す。取り出せた場合はＳ８０２へ進み、取り出せなかった場合、つまり、全ての設定項目に対してＳ８０２以下の処理を行なった場合は処理を終了する。ここでは設定項目「圧縮率」を取り出した場合について説明を続ける。
【００３５】
Ｓ８０２で、Ｓ８０１で取り出した設定項目に対し、現在装置に設定されている設定値を取得する。例えば設定項目「圧縮率」に対し、設定値「高圧縮」を取り出す。
【００３６】
Ｓ８０３で、Ｓ８０１で取り出した設定項目に対して、現在装置に設定されている設定値の他の候補をＳ２０５と同様の方法で取り出す。例えば設定項目圧縮率に対して、「普通」「低圧縮」を取り出す。
【００３７】
Ｓ８０４で、Ｓ８０２取り出した設定値、Ｓ８０３で取り出した設定値の他の候補について、対応する音声コマンドを取り出す。設定項目と設定値と音声コマンドの対応は、音声コマンドテーブルで管理する。音声コマンドテーブルの例を図９に示す。この音声コマンドテーブルより、設定項目「圧縮率」、設定値「高圧縮」に対応する音声コマンドとして「高圧縮」を取り出すことができる。また図中「＄｛｝」で囲まれた部分は実際の文字列が代入されることを表す。例えば、「＄｛電話番号｝」には「０１２−３４５−６７８９」などの電話番号を表す文字列が代入される。
【００３８】
Ｓ８０５で、Ｓ８０４で取り出した音声コマンドを出力する。音声コマンドの出力例を図１０に示す。これは画面に出力（表示）してもよいし、紙に出力（印刷）してもよい。図中「（）」で囲まれた音声コマンドは他の候補を表す。これにより、「電子メールで送信。送信先Ａさん。高圧縮率。」と音声コマンドを入力することにより、装置の現在の設定を再現することができる。また、「普通」と音声コマンドを入力することにより、圧縮率を「普通」に変更することができる。
【実施例３】
【００３９】
Ｓ２０６において、タッチパネルやマウスなどを用いてＵＩ部品の選択を行なう場合について説明したが、音声認識を用いてもよい。例えば、ユーザが「ファックス」と音声を入力すると、システムが音声を認識し、ＵＩ部品の「ファックス」を選択する。
【実施例４】
【００４０】
図１１は、本発明の一実施例にかかる情報処理装置の処理手順を説明するための図である。この処理はユーザが動作モードの登録指示を出したときに開始される。Ｓ８０１からＳ８０３までの処理は、図８と同じ処理である。
【００４１】
Ｓ１１０１で、動作モードのＳ８０１で取り出した設定項目に、Ｓ８０２で取り出した設定値とＳ８０３で取り出した設定値の他の候補を設定する。
【００４２】
Ｓ１１０２で、Ｓ８０１〜Ｓ１１０１で設定した動作モードを動作モード記憶手段に登録する。設定した動作モードの例を図１２に示す。
【００４３】
以上説明したとおり、本実施例では動作モードに設定値だけでなく、設定値の他の候補も合わせて設定する。そのため、図２のＳ２０１で本実施例で登録した動作モードを呼び出した場合は、Ｓ２０５で設定値の他の候補を動作モードから直接取り出すことができる。
【実施例５】
【００４４】
なお、本発明の目的は、前述した実施例の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読み出し実行することによっても達成される。
【００４５】
この場合、記憶媒体から読み出されたプログラムコード自体が前述した実施形態の機能を実現することになり、そのプログラムコードを記憶した記憶媒体は本発明を構成することになる。
【００４６】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００４７】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれる。
【００４８】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図面の簡単な説明】
【００４９】
【図１】本発明の一実施例にかかる情報処理装置の構成を説明するブロック図。
【図２】本発明の一実施例にかかる情報処理装置の処理手順を説明するフローチャート。
【図３】動作モードの例。
【図４】設定値候補テーブルの例。
【図５】動作モードに固有のＵＩの例。
【図６】宛先を設定するＵＩの例。
【図７】圧縮率を設定するＵＩの例。
【図８】本発明の一実施例にかかる情報処理装置の処理手順を説明するフローチャート。
【図９】音声コマンドテーブルの例。
【図１０】音声コマンド出力の例。
【図１１】本発明の一実施例にかかる情報処理装置の処理手順を説明するフローチャート。
【図１２】設定値の他の候補を含む動作モードの例。
【符号の説明】
【００５０】
１０１  動作モード記憶手段
１０２  動作モード呼び出し手段
１０３  設定値取得手段
１０４  他候補取得手段
１０５  出力手段
１０６  設定値候補テーブル
【図１】
2009206606.tif 000003
【図２】
2009206606.tif 000004
【図３】
2009206606.tif 000005
【図４】
2009206606.tif 000006
【図５】
2009206606.tif 000007
【図６】
2009206606.tif 000008
【図７】
2009206606.tif 000009
【図８】
2009206606.tif 000010
【図９】
2009206606.tif 000011
【図１０】
2009206606.tif 000012
【図１１】
2009206606.tif 000013
【図１２】
2009206606.tif 000014